(57)【要約】      （修正有）【課題】遊戯空間内にロープで吊下げることで景品を展示し、遊戯者が操作する遊戯手段によってロープを切断する、または、ロープの固定を解除する等によって景品を落下させる景品獲得ゲーム機において、吊下げられる景品の正面が常に遊戯者側を向くなど姿勢を保持させることが可能な景品姿勢保持具を提供する。【解決手段】上部に取付手段１４としてフックを備えて遊戯空間内に吊下取付可能とされ、該取付手段１４から下方向に向けて柱体１５が設けられ、該柱体１５の下部には、これらの間を接続するブリッジ部１６が設けられ、該ブリッジ部１６は、該遊戯空間内に吊下取付した際に該遊戯空間の奥側に向かって湾曲する形状とされる景品姿勢保持具１３とする。また、ブリッジ部１６と柱体１５の接続点付近には連結部１７が設けられ、ここに別の景品姿勢保持具１３の取付手段１４であるフックを掛けることで、２つ以上の景品姿勢保持具１３を連結することを可能とする。【選択図】図１
0003207008.tif 000002
【実用新案登録請求の範囲】
【請求項１】
遊戯空間内に景品をロープによって吊下展示可能とされた景品獲得ゲーム機で用いられる景品姿勢保持具であって、
一端を上方向とした際の上部に一対の取付手段を備え、
該一対の取付手段によって該遊戯空間内に吊下取付可能とされ、
該一対の取付手段の下方に一対の柱体が設けられ、
該一対の柱体の下方には、これらの間を接続するブリッジ部が設けられ、
該ブリッジ部は、該遊戯空間内に吊下取付した際に該遊戯空間の奥側に向かって湾曲する形状とされている、
ことを特徴とする景品姿勢保持具
【請求項２】
前記一対の取付手段はフックとされている
ことを特徴とする請求項１に記載の景品姿勢保持具。
【請求項３】
前記一対の取付手段は永久磁石とされている
ことを特徴とする請求項１に記載の景品姿勢保持具
【請求項４】
前記ブリッジ部には、その前記一対の柱体との接続点付近に連結部が設けられ、
該連結部には別の景品姿勢保持具の取付部と取り付け可能とされている
ことを特徴とする請求項１乃至請求項３のいずれか一に記載の景品姿勢保持具。
【請求項５】
透明樹脂によって構成されている
ことを特徴とする請求項１乃至請求項４のいずれか一に記載の景品姿勢保持具。
。
【請求項６】
針金によって構成されている
ことを特徴とする請求項１乃至請求項４のいずれか一に記載の景品姿勢保持具。
【請求項７】
遊戯空間内に景品をロープによって吊下展示可能とされた景品獲得ゲーム機で用いられる景品姿勢保持具であって、
一端を上方向とした際の上部に一対の取付手段を備え、
該一対の取付手段によって該遊戯空間内に吊下取付可能とされ、
該一対の取付手段の下方に壁体が設けられ、
該壁体は、該遊戯空間内に吊下取付した際に該遊戯空間の奥側に向かって湾曲する形状とされている、
ことを特徴とする景品姿勢保持具。
【請求項８】
透明樹脂によって構成されている
ことを特徴とする請求項７に記載の景品姿勢保持具。
【考案の詳細な説明】
【技術分野】
【０００１】
本考案は、景品獲得ゲーム機で使用される景品姿勢保持具に関するものである。より詳しくは、遊戯空間内にロープで吊下げることで景品を展示し、遊戯者が操作する遊戯手段によってロープを切断する、または、ロープの固定を解除する等によって景品を落下させ、遊戯者に該景品が払い出されるように設定された景品獲得ゲーム機において、吊下げられる景品の正面が常に遊戯者側を向くなど姿勢を保持させることが可能な景品姿勢保持具に関するものである。
【背景技術】
【０００２】
従来より様々な景品獲得ゲーム機が実用に供されており、ゲームセンターをはじめとする遊戯施設に設置されて多くの遊戯者に楽しまれている。このような景品獲得ゲーム機のうち、本願考案者の発明に係る景品獲得ゲーム機（以下、「カットゲーム機」という）は、そのユニークな遊戯内容と華やかな外観から、特に人気のあるものの一つである。
【０００３】
カットゲーム機とは、例えば特開２０１０−１８４１２９公開特許公報の図１に開示された発明に係る景品獲得ゲーム機であり、その一実施形態を図４に示す（部分詳細説明に図５も使用する）。カットゲーム機（１）では、少なくとも一部が透明または半透明の素材で遮蔽された遊戯空間（４）の上部から景品（５）をロープ（９）で吊下展示する。なお、ロープ（９）はその名称に関わらず、様々な素材・太さの紐状の物品が使用されることがある。そして、同じく遊戯空間内に遊戯者が操作手段（３）を操作することによって少なくとも２方向に移動可能とされ、かつ、ロープを切断可能な切断手段（１０）を備えた遊戯手段（６）を備えている。
【０００４】
カットゲーム機の遊戯の様子は図５に示すとおりである。（Ａ）に示すように初期位置にある遊戯手段（６）を、遊戯者が適切に操作して、遊戯手段の備える切断手段（１０）がロープ（９）を切断できる位置に誘導することが遊戯課題である。（Ｂ）には適切に遊戯手段が誘導された状態を示しており、この後、切断手段が稼動してロープを切断する。すると、（Ｃ）に示すように、ロープに吊下展示されていた景品（５）は落下し、カットゲーム機下部に備えられた景品払出口（２）より遊戯者に払い出されるのである。
【０００５】
カットゲーム機では、景品を吊下展示するので、景品として小型のものから大型のものまで様々なものを使用可能であるのみならず、その形状も球形のように転がってしまうものを含めて任意のものを用いることができる。また、ロープの長さを変えることで景品の展示位置の高さを容易に変えることができ、景品を立体的に展示することも可能である。このようにすることによって景品そのものをカットゲーム機の意匠の一部として遊戯者にアピールすることができ、遊戯者の遊戯意欲を大いに惹起することができる。これは、景品をキャッチャーで掴みあげることを遊戯課題とするいわゆるクレーンゲーム機（例えば、特開２００２−２３９２０９公開特許公報に開示されたもの）や、景品載置棚に景品を載置して、景品載置棚の支持をプッシャーによって解除することを遊戯課題とするプッシャーゲーム機（例えば、意匠登録第１２０８７３５号意匠公報に開示されたもの）では得られない優れた特徴である。
【０００６】
また、遊戯者が操作する遊戯手段の備える切断手段によってロープを切断すれば景品が落下して払い出されるシンプルな仕組みは、遊戯課題達成から景品払出までのプロセスが直接的に結びついた理解の容易なものであるので、遊戯者が遊戯することに対して躊躇することも少ない。遊戯課題達成と景品払出までの間に、遊戯者から知覚されない電子的なプロセスが介在すると、遊戯者はしばしば胡散臭さのような印象を抱いて遊戯することを躊躇することがあるのだが、このような懸念は全く無いのである。さらに、ロープを切断した瞬間に景品が落下して払い出される様子は遊戯者に大きな爽快感を与えるものでもある。
【０００７】
以上のように優れた特徴を備えるカットゲーム機であるが、遊戯施設に設置して運用する上で次のような課題がある。すなわち、ロープによって吊下展示される景品は上下方向の位置（高さ）はロープの長さ等によって決まる安定したものであるが、吊下展示された景品の姿勢、例えば、景品のどの面がカットゲーム機の正面側（遊戯者側）を向いているのかの制御は困難である。あるいは、吊下展示される景品の重心位置とロープの接続点の位置関係によっては、吊下げられた景品が傾いているような姿勢になってしまう場合もある。カットゲーム機では、遊戯空間に立体的に吊下展示される景品自体がカットゲーム機の意匠の重要な構成要素となって、遊戯者の遊戯意欲を惹起するのであるが、景品がもっとも魅力的に視認される姿勢で吊下展示されなければ、この意匠効果は限定的になってしまう。
【０００８】
例えば、大型のぬいぐるみのような景品では、ぬいぐるみの正面がカットゲーム機の正面方向を向いて直立しているような姿勢で吊下展示されることが好ましい。しかし、ロープによって吊下展示されるぬいぐるみの方向をこのように定めることは容易でないし、重心位置が必ずしも直感的に把握可能とは限らない複雑な形のぬいぐるみが直立して吊下展示される位置にロープの接続点を決めることもまた容易ではない。また、運よく、ぬいぐるみを良好な姿勢で吊下展示することに成功したとしても、遊戯手段がロープに触れた際の振動等によって回転してしまうこともあり、そのような姿勢を維持することはほとんど不可能であるという課題がある。
【０００９】
上記では、景品の例としてぬいぐるみを取り上げたが、他の景品、例えば化粧箱に物品が収められているような場合であっても、化粧箱の前面（物品の写真等が魅力的に表示されている面）が遊戯者から良好に視認される状態で吊下展示されることが好ましいことは同様である。
【００１０】
以上のような課題は、カットゲーム機に限らず、ロープによって景品を吊下展示するタイプの景品獲得ゲーム機で共通的に存在するものである。例えば、ロープ上端に設けられたループを遊戯空間内に設けられたフックに掛けることでロープ下端に接続された景品を吊下展示し、遊戯手段でロープを押す等してフックからループを外すことによってこの景品を払い出すような景品獲得ゲーム機も実用に供せられている。このような景品獲得ゲーム機でも、ロープに吊下展示された景品の姿勢は、景品獲得ゲーム機全体としての意匠性に大きな影響を与えるものであり、良い姿勢を維持することが好ましいことは明らかである。
【先行技術文献】
【特許文献】
【００１１】
【特許文献１】特開２０１０−１８４１２９公開特許公報
【特許文献２】特開２００２−２３９２０９公開特許公報
【特許文献３】意匠登録第１２０８７３５号意匠公報
【考案の概要】
【考案が解決しようとする課題】
【００１２】
本考案は、以上で説明した課題を解決するためになされたものである。すなわち、本考案は、遊戯空間内にロープで吊下げることで景品を展示し、遊戯者が操作する遊戯手段によってロープを切断する、または、ロープの固定を解除する等によって景品を落下させ、遊戯者に該景品が払い出されるように設定された景品獲得ゲーム機において、吊下げられる景品の正面が常に遊戯者側を向くなど姿勢を保持させることが可能な景品姿勢保持具を提供しようとするものである。
【課題を解決するための手段】
【００１３】
（１）前記課題を解決するため、本考案においては、
遊戯空間内に景品をロープによって吊下展示可能とされた景品獲得ゲーム機で用いられる景品姿勢保持具であって、
一端を上方向とした際の上部に一対の取付手段を備え、
該一対の取付手段によって該遊戯空間内に吊下取付可能とされ、
該一対の取付手段の下方に一対の柱体が設けられ、
該一対の柱体の下方には、これらの間を接続するブリッジ部が設けられ、
該ブリッジ部は、該遊戯空間内に吊下取付した際に該遊戯空間の奥側に向かって湾曲する形状とされている、
ことを特徴とする景品姿勢保持具としている。
【００１４】
すでに説明したとおり、カットゲーム機では多くの景品獲得ゲーム機同様に、少なくとも一部が透明または半透明の素材で遮蔽された遊戯空間を備えている。そして、典型的にはこの遊戯空間の上部に備えた景品吊下パイプ（吊下手段）にロープの一端に設けた吊下フックを掛けることで、他端に接続した景品を吊下展示する（または、吊下手段側がフック構造を備え、ロープ側にここに掛けられるループを備える場合もある）。遊戯空間内には、吊下手段の下方に案内パイプが備えられ、案内パイプには案内手段が設けられている。案内手段は典型的には案内パイプに設けられた溝として実現される。この案内手段は、景品を吊下展示するロープを通して案内することが可能とされており、ロープの揺れ等を防止することができる。これらの典型的な形態は、図５に現れている通りである。
【００１５】
さて、本考案に係る景品姿勢保持具は図１を参照すればその構成の理解が容易である。ただし、同図は以下の説明の理解を補助するための参考資料に過ぎず、本考案がこの図に現れているものに限定されるものではない。景品姿勢保持具の上部に備えた取付手段により、遊戯空間内に吊り下るように取付可能とする。具体的には、カットゲーム機の場合には景品吊下パイプまたは案内パイプに景品姿勢保持具を吊下取付可能とすればよく、典型的には取付手段はフックであって、景品吊下パイプまたは案内パイプに掛けることによって吊下取付する。ところで、景品吊下パイプには景品を吊下展示するロープが取り付けられるし、案内パイプにはロープのゆれ等を防止するために案内手段が設けられてここにロープが案内される。したがって、これらと景品姿勢保持具の取付手段が干渉しないようにするため、取付手段は間隔をあけて配される一対を備えることとする。一対の取付手段間に、ロープが取り付けられ、または、ロープが案内される部分が来るように設定するのである。
【００１６】
一対の取付手段のそれぞれの下方には、一対の柱体が略平行に延設される。柱体は長尺の棒状の構造である。そして、一対の柱体の下部にはこれらの間を接続するブリッジ部が設けられている。ブリッジ部は、景品姿勢保持具を遊戯空間内に吊下取付した際に、遊戯空間の奥側（遊戯者から見て遠い側）に向けてへこむように湾曲する形状とする。典型的には、ブリッジ部は「く」の字形状や半円形状とすることができる。
【００１７】
このような構成とすると、取付手段によって景品吊下パイプや案内パイプに景品姿勢保持具を吊下取付し、この手前にロープによって景品を吊下展示すると、景品の背に当たる部分が景品姿勢保持具の備える一対の柱体に接触することになるが、一対の柱体のそれぞれに景品の背が接触する、つまり、景品の２点で接触が得られる状態であるので、吊下展示された景品が回転してしまうことが防止される。また、柱体は間隔をあけて略平行に上下方向に走る状態に吊下取付されているので、これとの接触のさせ方によって景品の回転を防止するのみならず、吊下展示した際に景品が斜めに傾いてしまうような場合にも、この姿勢を一定程度正しく保持する作用も得られる。このように、吊下展示される景品の正面が常に遊戯者側を向くなど姿勢を保持させることが可能になる。
【００１８】
また、吊下展示される景品が大型である場合やロープの長さの為に景品の位置が低い位置となった場合、柱体ではなく、柱体下端のブリッジ部が景品の背に接触する場合がありえる。この際に、ブリッジ部が一対の柱体間を直線的につなぐ形状であると、景品の背が丸みを帯びている場合に、景品の背とブリッジ部が一点接触してしまうため、景品が回転してしまってその姿勢を保持できないことになる。しかし、本考案に係る景品状態保持具では遊戯空間内に吊下取付した際に遊戯空間の奥側に向かって湾曲するようなブリッジ部の形状としているので、前記のような場合であってもブリッジ部の両端と一対の柱体の下部との接続点が景品の背に接触することになる。つまり、確実に２点での接触が得られるため、吊下展示された景品が回転してしまうことが防止されることになる。
【００１９】
また、このような構成では、景品が払い出された際、つまり、遊戯者が操作する遊戯手段でロープが切断されたり、ロープの取り付けが解除されたりして景品が落下する際に、景品やロープが引っかかったりする恐れのある部分が景品姿勢保持具に全く存在しない。つまり、景品払い出しの際に、景品が払い出されないといった事故が発生する懸念が無く、また、景品姿勢保持具は遊戯空間内に吊下取付されたまま残るため紛失事故の懸念も無い。
【００２０】
（２）前記課題を解決するため、本考案においては、
前記一対の取付手段はフックとされている
ことを特徴とする（１）に記載の景品姿勢保持具としている。
【００２１】
一対の取付手段をフックとするとは、それぞれの取付手段が「Ｊ」の字状（または「Ｕ」の字状）の形状とされて、この部分を遊戯空間内の適当な場所に掛けることが可能とされているということである。非常に簡単な構造で安価に実現でき、取り付け・取り外しも容易である。なお、すでに説明したとおり、景品姿勢保持具を景品吊下パイプまたは案内パイプに掛けて吊下取付できると便利であるので、フックは景品吊下パイプまたは案内パイプに掛けられる程度に開口部の大きさを設定することが好ましい。
【００２２】
また、前記フックは、景品姿勢保持具を取り付ける対象物と比較して、僅かに小さな開口部寸法と、より大きな内部寸法を備えるように設定されていることが好ましい。僅かに小さい、及び、より大きな、とは、以下に説明する目的に適合する限度において必ずしも厳密な数値範囲を設定する必要の無い大小関係を示しているに過ぎないが、一例を挙げると、０．５ｍｍ乃至５ｍｍ程度とすることができる。このようにすることで、フックを景品吊下パイプまたは案内パイプに掛ける際には、フックの開口部がこれらパイプの直径よりも僅かに小さいために、そのままでは懸からない。しかし、少し力を加えて押し込むようにすると、フックの開口部がこれらパイプに押し広げられて、これによってこれらパイプが十分な内部寸法を備えるフックの内側にはまり込み、これによってフックがこれらパイプに掛かるという状態が実現される。
【００２３】
このようにすると、フックがパイプに係る瞬間に、フックを掛けようとする作業者の手指にカチッという特有のクリック感が知覚されるため、作用者が適切に景品姿勢保持具が吊下取付されたことを認識することができる。このことは、作業者の身長が低い場合や、多くの景品が高密度に吊下げ展示されている場合、あるいは、遊戯空間内が十分に明るくない場合など、景品姿勢保持具の状態を明瞭に目視することが困難な場合に特に有用である。また、少し力を加えなければフックが外れないのであるが、このことは不慮の事故でフックが外れて落下してしまうことを防止する効果を奏する有益なものである。不慮の事故とは、例えば、景品が払い出された際の衝撃や振動はもちろん、隣の景品を新たに吊下展示したりまたは交換したりする作業中に誤って手指が触れてしまうなどが想定されるが、このような場合にも景品姿勢保持具が容易には脱落・落下しないことは作業性の向上や紛失事故の防止に大きな効果がある。
【００２４】
（３）前記課題を解決するため、本考案においては、
前記一対の取付手段は永久磁石とされている
ことを特徴とする（１）に記載の景品姿勢保持具としている。
【００２５】
遊戯空間内（典型的には景品吊下パイプや案内パイプ）に景品姿勢保持具を取り付けるための取付部は、前記のようなフック構造に限られるものではない。例えば、取付対象箇所が鉄やフェライト系ステンレス、マルテンサイト系ステンレスのように磁石につく素材で構成されている場合には、景品姿勢保持具の取付手段を永久磁石を備えた適当な構造とすることができる。この場合、取付手段そのものを永久磁石で構成してもよいし、取付手段を構成する適当な部材に永久磁石を備える構造としても良い。いずれにしても、遊戯空間内への取付は永久磁石の磁力によって行なわれる。永久磁石の磁力によって取り付ける構成は、取付対象箇所が磁石につく素材で構成されている限り、任意の位置への取り付けが可能であるという利点がある。例えば、遊戯空間の天井を鉄板で構成してこれを取付対象箇所とした場合、天井の任意の位置に景品姿勢保持具を吊下取付することが可能であるので、吊下展示する景品の配置等の自由度を大いに増すことができる。
【００２６】
（４）前記課題を解決するため、本考案においては、
前記ブリッジ部には、その前記一対の柱体との接続点付近に連結部が設けられ、
該連結部には別の景品姿勢保持具の取付部を取り付け可能とされている
ことを特徴とする（１）〜（３）に記載の景品姿勢保持具としている。
【００２７】
カットゲーム機のように、ロープによって景品を吊下展示するタイプの景品獲得ゲーム機では、ロープの長さを調整することで遊戯空間内で景品が吊下展示される高さを調整することが容易であり、これによって景品を立体的に見栄えよく展示し、景品を景品獲得ゲーム機自体の意匠の一つとして遊戯者の遊戯意欲を惹起可能であることはすでに述べたとおりである。しかし、様々な高さに景品を吊下展示した場合、これらに対して様々な長さの景品姿勢保持具が必要になる。吊下展示される景品の回転防止・姿勢保持という機能のみについていえば、柱体部分の長さが十分に長い景品姿勢保持具を準備しておけば、どのような高さに吊下展示される景品にも対応可能である。しかし、過剰に長い景品姿勢保持具を使用すると、景品姿勢保持具の下部が吊下展示された景品の下部から突き出した様子が遊戯者から視認されることになり、これはあまり見栄えのよいものではない。一方で、様々な長さの景品姿勢保持具を準備しておけばこのような問題は発生しないものの、多くの種類の景品姿勢保持具を保有し、使い分けなければならず、景品獲得ゲーム機を運用する遊戯施設にとって負担になる。また、長さの長い景品姿勢保持具は輸送や保管等の取り扱いに不便でもあり、これも遊戯施設の負担を増やす要因になり得る。
【００２８】
そこで、ブリッジ部と柱体の接続部に連結部を設け、ここに別の景品姿勢保持具の取付部を取り付けられるようにする。このようにすると、２つの景品姿勢保持具によって長い景品姿勢保持具の役割を果たさせることができるし、必要に応じて、さらに多くの景品姿勢保持具を連結して使用することも出来る。これにより、遊戯施設等では一種類だけの景品姿勢保持具を保有しておくだけで、様々な高さに吊下展示した景品のそれぞれに最適な長さに連結して景品姿勢保持具を使用することが可能となる。
【００２９】
連結部は具体的には次のように実現することができる。すなわち、取付手段がフックである場合には、ブリッジ部の幅が一対のフック間の幅よりも大きくなるように設定して、ブリッジ部の両端付近（柱体との接続部とのごく近傍）を連結部とすることができる。この部分に、別の景品姿勢保持具の取付手段であるフックを掛けて取り付けることが可能だからである。あるいは、景品姿勢保持具をある程度の弾性を備えた材料で構成することで、ブリッジ部の幅がフック間の幅よりも小さかったとしても、景品姿勢保持具をその弾性範囲内でたわませて、ブリッジ部の両端付近に取付手段であるフックを掛ける事を可能としても良い。
【００３０】
さらに、図６に示すように、ブリッジ部の両端に管状の連結部を設けるなど、別の景品姿勢保持具の取付手段を取り付けるための専用の構造を設けても良い。このようにしても機能的にはブリッジ部の両端付近を単に連結部として利用する場合と大差はないものの、視覚的に複数の景品姿勢保持具を次々と取り付けることができることが明らかとなるので、景品獲得ゲーム機を運用する遊戯施設等の作業者が使い方を迷う懸念が無くなるという利点がある。
【００３１】
なお、取付手段を永久磁石とした場合には、ブリッジ部の両端付近を鉄やフェライト系ステンレス、マルテンサイト系ステンレスのように磁石につく素材で構成する、若しくは、ブリッジ部の両端付近にこれら素材の部材を取り付けておくことによって、連結部とすることができる。このようにすると取付手段である永久磁石の磁力によって別の景品姿勢保持具を取り付けることができることは明らかである。
【００３２】
（５）前記課題を解決するため、本考案においては、
透明樹脂によって構成されている
ことを特徴とする（１）〜（４）に記載の景品姿勢保持具としている。
【００３３】
本考案に係る景品姿勢保持具は、遊戯空間内に取り付けた際に遊戯者に目立ちすぎず、景品獲得ゲーム機の美観に与える影響が少ないことが好ましい。そこで、透明樹脂で構成することが好ましいのであるが、これは必ずしも景品姿勢保持具の全体を透明樹脂によって構成し、それ以外の材料の使用が禁じられるという意図ではない。部分的に、金属材料を含む不透明な材料を使用することは許容されるが、柱体やブリッジ部の大部分など、遊戯者から視認される機会の多い部分については、透明な樹脂で構成されるという意味である。また、透明樹脂としては、透明度が高く美しい外観が得られるアクリル樹脂を使用することが好ましい。
【００３４】
また、景品姿勢保持具を熱可塑性樹脂製の棒の曲げ加工によって製造することが好ましい。特に樹脂製の丸棒は比較的安価で入手性に優れており、また、加熱することによって比較的自由な曲げ加工を行なうことができるので、継ぎ目の無い美しい景品姿勢保持具を容易に得ることができるからである。
【００３５】
（６）前記課題を解決するため、本考案においては、
針金によって構成されている
ことを特徴とする（１）〜（４）に記載の景品姿勢保持具としている。
【００３６】
本考案に係る景品姿勢保持具は、針金を材料として構成することも可能である。もちろん、これは必ずしも景品姿勢保持具の全体を針金によって構成し、それ以外の材料の使用が禁じられるという意図ではなく、主要な材料として針金が使用されるという意味である。針金は安価で入手性が良く曲げ加工も容易であり、樹脂のように割れを発生することもほとんど無いため、安価かつ丈夫な景品姿勢保持具が得られるという利点がある。
【００３７】
なお、針金は太さの割りに丈夫なものが利用できるので、細い針金で景品姿勢保持具を構成することで、遊戯空間内であまり遊戯者に目立ちにくいものが得られるのだが、より、遊戯者から目立ちにくく景品獲得ゲーム機の意匠性を損なわなくするため、目立ちにくい色に塗装した針金、または、目立ちにくい色の被覆が施された針金を使用することが好ましい。典型的には、黒色の被覆を施された針金を材料にすることができる。
【００３８】
また、針金の材質も軟鉄、ステンレス、銅、アルミニウムなど様々なものが入手できるが、取付手段を永久磁石とした場合には、鉄やマルテンサイト系ステンレスのように磁石につく素材で作られた針金を材料とすればよい。取付手段である永久磁石によって、容易に別の景品姿勢保持具に取り付けることが可能だからである。
【００３９】
（７）前記課題を解決するため、本考案においては、
遊戯空間内に景品をロープによって吊下展示可能とされた景品獲得ゲーム機で用いられる景品姿勢保持具であって、
一端を上方向とした際の上部に一対の取付手段を備え、
該一対の取付手段によって該遊戯空間内に吊下取付可能とされ、
該一対の取付手段の下方に壁体が設けられ、
該壁体は、該遊戯空間内に吊下取付した際に該遊戯空間の奥側に向かって湾曲する形状とされている、
ことを特徴とする景品姿勢保持具としている。
【００４０】
本考案に係る景品姿勢保持具は図２を参照すればその構成の理解が容易である。ただし、同図は以下の説明の理解を補助するための参考資料に過ぎず、本考案がこの図に現れているものに限定されるものではない。景品姿勢保持具の上部に備えた取付手段によって、遊戯空間内に吊り下げるように取付可能であることは、（１）に説明した景品姿勢保持具と同様である。
【００４１】
取付手段の下方には壁体が設けられる。壁体は、短冊状の板を、景品支持保持具を遊戯空間内に吊下取付した際に遊戯空間の奥側に向かって湾曲する形状とされており、典型的には断面形状を「く」の字形状や半円形状とすることができる。
【００４２】
このような構成とすると、取付手段によって景品吊下パイプや案内パイプに景品姿勢保持具を吊下取付し、この手前にロープによって景品を吊下展示すると、景品の背に当たる部分が壁体の両端部に接触することになる、つまり、景品の２点で壁体の両端と接触が得られる状態になるので、吊下展示された景品が回転してしまうことが防止される。同様に、吊下展示した際に景品が斜めに傾いてしまうような場合に、この姿勢を一定程度正しく保持する作用が得られる。このように、吊下展示される景品の正面が常に遊戯者側を向くなど姿勢を保持させることが可能になる。
【００４３】
また、取付手段としてフックや永久磁石を選択することが可能な点では、（２）や（３）に説明した景品姿勢保持具と同様である。
【００４４】
さらに、壁体の下端部付近に連結部を設けることが好ましい。連結部は、取付手段がフックの場合、壁体の下端部に別の景品姿勢保持具の取付手段であるフックを掛けられる穴を設けることで実現することができる。また、取付手段が永久磁石の場合、例えば壁体の下端部に磁石につく素材の部品を取り付けておく、または、磁石につく素材によって壁体を構成することで、壁体の下端部が連結部として機能できるようにすることで実現できる。
【００４５】
（８）前記課題を解決するため、本考案においては、
透明樹脂によって構成されている
ことを特徴とする（７）に記載の景品姿勢保持具としている。
【００４６】
すでに述べたとおり、本考案に係る景品姿勢保持具は遊戯空間内に取り付けた際に遊戯者に目立ちすぎず、景品獲得ゲーム機の美観に与える影響が少ないことが好ましい。この為、少なくとも遊戯者から視認される機会の多い壁体については、透明樹脂によって構成することが好ましい。取付手段についても透明樹脂によって構成することは可能であるが、取付手段は壁体ほど遊戯者から視認されやすい構成要素ではないため、金属他の材料で構成することも可能である。また、透明樹脂としては、透明度が高く美しい外観が得られるアクリル樹脂を使用することが好ましいことは（５）で説明したとおりである。
【考案の効果】
【００４７】
（１）一対の取付手段と、該取付手段の下方に備えられた一対の柱体と、該柱体の下部に接続されたブリッジ部を備え、該ブリッジ部は遊戯空間内に吊下取付した際に該遊戯空間の奥側に向かって湾曲する形状とされた景品姿勢保持具としたので、遊戯空間内に吊下取付することで同じく遊戯空間内に吊下展示される景品の背に一対の柱体が接触することができる。これによって景品の姿勢が保持され、及び、回転が防止される。これによって、遊戯空間内で吊下展示される景品の姿勢や向きが良好に保たれることになり、これが景品獲得ゲーム機の意匠の一部として遊戯者の遊戯意欲を惹起させることができるという効果を奏する。
【００４８】
また、景品が払い出された際に、景品やロープが景品姿勢保持具に引っかかる恐れのある部分が存在しないため、景品景品払い出しの際に、景品が払いだされないといった事故が発生する懸念が無く、また、景品姿勢保持具は遊戯空間内に吊下取付されたまま残るため紛失事故の懸念も無い。
【００４９】
（２）一対の取付手段をフックとしたので、遊戯空間内の適当な場所に掛けることで極めて容易に景品姿勢保持具を取り付けることができる。また、簡単な構造であるため、安価に景品姿勢保持具を提供することができるという効果を奏する。
【００５０】
さらに、フックの開口部の大きさを景品姿勢保持具を取り付ける対象物より僅かに小さくし、また、フックの内部寸法を僅かに大きく設定したので、少し力を加えて押し込むことで景品姿勢保持具を取り付けた際に、作業者の手指にカチッという特有のクリック感が知覚される。これによって、景品姿勢保持具の取付部分の様子を良好に目視することが困難な状況であっても、適切に景品姿勢保持具が吊下取付されたことを認識することができる。さらに、このようにすると、少し力を加えないと景品姿勢保持具が外れないので、景品が払い出された際の衝撃・振動や、隣の景品の交換作業中などに誤って手指が触れた場合などにも景品姿勢保持具が脱落・落下してしまうことが無く、作業性の向上や紛失事故の防止が図れるという効果が得られる。
【００５１】
（３）一対の取付手段を永久磁石としたので、磁石につく素材でできていれば任意の場所に景品姿勢保持具を取り付けることが可能になり、吊下展示する景品の配置等の自由度を増すことができるいう効果が得られる。
【００５２】
（４）ブリッジ部の柱体との接続点付近に連結部を設け、該連結部には別の景品姿勢保持具の取付部を取付可能としたので、二つ以上の景品姿勢保持具を連結してより長い景品姿勢保持具として利用可能となる。これにより、様々な長さの景品姿勢保持具を準備しなくても様々な高さに吊下展示される景品に対応することが可能となり、景品獲得ゲーム機を運用する遊戯施設の負担を軽減することができるという効果が得られる。
【００５３】
また、取付手段がフックである場合、ブリッジ部の両端に管状の連結部を設けたので、複数の景品姿勢保持具を連結して使用することができることが視覚的に一目瞭然となり、景品獲得ゲーム機を運用する遊戯施設等の作業者が使い方を迷う懸念が無くなるという効果が得られる。
【００５４】
（５）景品姿勢保持具を透明樹脂によって構成したので、遊戯空間内に取り付けても遊戯者に目立ちすぎず、景品獲得ゲーム機の美観にほとんど影響を与えないという効果が得られる。
【００５５】
また、透明樹脂としてアクリル樹脂を使用したので、透明度が高くそのもの自体も美しい外観の景品姿勢保持具が得られるという効果が得られる。
【００５６】
さらに、景品姿勢保持具を熱可塑性樹脂製の棒の曲げ加工によって製造すると、安価でかつ継ぎ目の無い美しい外観の景品姿勢保持具が得られるという効果がある。
【００５７】
（６）景品姿勢保持具を針金によって構成したので、安価かつ丈夫な景品姿勢保持具が得られるという効果が得られる。また、割れ等を生じる懸念が少なく、強度に優れて細い材料で構成可能であるので、遊戯空間内であまり遊戯者に目立たない景品姿勢保持具が得られるという効果が得られる。
【００５８】
また、取付手段を永久磁石とした場合には、針金を磁石につく素材とすることで、容易に別の景品姿勢保持具に取り付けることができるという効果が得られる。
【００５９】
（７）一対の取付手段と、該取付手段の下方に備えられた壁体を備え、該壁体は遊戯空間内に吊下取付した際に該遊戯空間の奥側に向かって湾曲する形状とされた景品姿勢保持具としたので、遊戯空間内に吊下取付することで同じく遊戯空間内に吊下展示される景品の背に壁体の両端部が接触することができる。これによって景品の姿勢が保持され、及び、回転が防止される。これによって、遊戯空間内で吊下展示される景品の姿勢や向きが良好に保たれることになり、これが景品獲得ゲーム機の意匠の一部として遊戯者の遊戯意欲を惹起させることができるという効果を奏する。
【００６０】
（８）景品姿勢保持具を透明樹脂によって構成したので、遊戯空間内に取り付けても遊戯者に目立ちすぎず、景品獲得ゲーム機の美観にほとんど影響を与えないという効果が得られる。
【図面の簡単な説明】
【００６１】
【図１】本考案に係る景品姿勢保持具の実施方法を示した説明図である。
【図２】本考案に係る景品姿勢保持具の実施方法を示した説明図である。
【図３】景品姿勢保持具の使用方法を示した説明図である。
【図４】カットゲーム機の例を示した説明図である。
【図５】カットゲーム機の遊戯の様子を示した説明図である。
【図６】本考案に係る景品姿勢保持具の実施方法を示した説明図である。
【図７】本考案に係る景品姿勢保持具の取付手段付近の詳細を示した説明図である。
【考案を実施するための形態】
【００６２】
以下、図面を用いて本考案の実施例について詳細に説明する。
【実施例１】
【００６３】
図１は、本考案に係る景品姿勢保持具の一実施形態を示した説明図であり、同図（Ａ）には、景品姿勢保持具単体の様子を、同図（Ｂ）には２つの景品姿勢保持具を連結した様子を示している。また、図３はこの景品姿勢保持具の使用形態を示した説明図である。さらに、図７にはこの景品姿勢保持具を案内パイプに掛けて吊下取付した際の取付手段付近の詳細を示す説明図である。
【００６４】
景品姿勢保持具（１３）は、アクリル樹脂性の丸棒を図１（Ａ）に現れるように曲げ加工することによって製造している。アクリル樹脂は透明度が高く、景品姿勢保持具（１３）が景品獲得ゲーム機内で目立ちにくく、景品獲得ゲーム機の美しい外観を維持できる。この景品姿勢保持具（１３）は、上部に一対の取付手段（１４）である一対のフック構造を備えている。一対の取付手段（１４）の下部には一対の柱体（１５）が設けられており、一対の柱体（１５）はその下部でブリッジ部（１６）によって接続されている。この実施例では、ブリッジ部（１６）は「く」の字型に奥側に向けて折り曲がった形状とされている。また、ブリッジ部（１７）の両端付近で一対の柱体（１５）との接続部付近は連結部（１７）としている。なお、本実施例では連結部（１７）は、ブリッジ部（１６）の一部にそのような名称を与えたものであって特別に外観上独立した部位になっているわけではないが、後ほど説明するとおり、この部分は特有の機能を奏する部分である。
【００６５】
この景品姿勢保持具（１３）の使用形態は図３に示す通りである。すなわち、景品（５）は図示しない景品吊下パイプからロープ（９）によって吊下展示される。遊戯者が操作する切断手段（１０）を備えた遊戯手段によって、ロープ（９）が切断されれば、景品（５）は落下して図示しない景品払出口から払い出されるのであるが、遊戯手段がロープ（９）に触れたりした際に揺れや乱れが生じることを防止するため、案内パイプ（１１）に設けた溝である案内手段（１２）にロープ（９）を案内している。
【００６６】
さて、吊下展示されている景品（５）は、常にその正面を景品獲得ゲーム機の正面側、つまり、通常遊戯者が見る方向に向けていることが好ましい。景品（５）がもっとも魅力的に見える状態を遊戯者に視認させることで、遊戯者の遊戯意欲が惹起されることが期待されるからである。しかし、ロープ（９）によって吊下展示される景品（５）はそのままでは容易に回転してしまうため、このような姿勢を保つことは困難である。
【００６７】
ここで、景品姿勢保持具（１３）を案内パイプ（１１）に取りつけ、景品（５）の背面と一対の柱体（１５）またはブリッジ部（１６）で接触させる。このようにすると、景品（５）と景品姿勢保持具（１３）は２点で接触するので、景品（５）は回転等することもなくなるので、容易に適切な姿勢を保持させることができるようになる。なお、遊戯者が遊戯手段によってロープ（９）を首尾よく切断することに成功した場合には、景品（５）とロープ（９）の一部は落下して遊戯者に払い出されるが、景品姿勢保持具（１３）自体はなんら影響を受けることなく案内パイプ（１３）に吊下取付されたままとなる。
【００６８】
図７に景品姿勢保持具（１３）を案内パイプ（１１）に取り付けた際の、取付手段（１４）付近の様子を詳細に示している。図から明らかな通り、取付手段（１４）の先端の開口部は少し案内パイプ（１１）の直径よりも狭くされており、ここを便宜上、取付手段絞り部（１８）と呼ぶことにする。取付手段絞り部（１８）は、その部分の開口幅が案内パイプ（１１）の直径よりも０．５ｍｍ乃至２ｍｍ程度狭く設定されている。この為、取付手段絞り部（１８）の開口部を少し押し広げて取り付けるため、案内パイプ（１３）に取付手段絞り部（１８）を少し力を掛けて押し付けることが必要である。これにより、景品姿勢保持具（１３）を案内パイプ（１１）に取り付けた瞬間に、カチッという特有のクリック感が作業者に感じられ、これによって目視が難しい場合であっても正しい取り付けができたことが確認される。
【００６９】
図１（Ｂ）には、２つの景品姿勢保持具を連結した状態を示している。下方の景品姿勢保持具の取付手段が情報の景品姿勢保持具の連結部に掛けられることで連結されている。これにより、２つの景品姿勢保持具を１つの長い景品姿勢保持具として利用することが可能となる。このような利用が可能であることは、様々な長さの景品姿勢保持具を準備する必要が無くなるので、遊戯施設等にとって都合が良い。
【００７０】
ところで、この実施例では景品姿勢保持具を案内パイプに吊下取付したが、景品吊下パイプその他の場所に吊下取付することとしても構わない。また、カットゲーム機を例に説明を行ったが、これに限らず、景品をロープで吊下展示するタイプの様々な景品獲得ゲーム機に適用できることも言うまでも無いことである。また、本実施例ではアクリル樹脂性の丸棒を曲げ加工することによって景品姿勢保持具を得たが、他の種類の樹脂や針金など、様々な材料によって構成することが可能であることも自明である。
【実施例２】
【００７１】
図６は、本考案に係る景品姿勢保持具の別の実施形態を示した説明図である。
【００７２】
本実施例は、樹脂製の角棒を曲げ加工することで得たものであり、材料や形状は異なるものの、その形状や働きは実施例１の場合と実質的に等価なものであるので、本実施例に特徴的な部分にのみ説明を加える。
【００７３】
図６（Ａ）に明瞭に現れている通り、本実施例では、柱体（１５）の下部とブリッジ部（１６）の接続部付近に、略管状の連結部（１７）を設けた。連結部（１７）には、別の景品姿勢保持具の取付手段を掛けることが可能とされており、その様子は図６（Ｂ）に表示されている。
【００７４】
実施例１の場合と異なり、連結部（１７）がはっきりと現れているので、遊戯施設の作業者がこれを見ると、直感的に複数の景品姿勢保持具を連結して使用可能であることを理解でき、必要に応じてそのような使い方をすることが期待される。つまり、遊戯施設の現場の作業者が戸惑い無く利用できる景品姿勢保持具を提供することができる。
【００７５】
その他の箇所の構造や作用等は、実施例１の場合と同様であるので説明は省略する。
【実施例３】
【００７６】
図２は、本考案に係る景品姿勢保持具の別の実施形態を示した説明図である。
【００７７】
本実施例は、透明なアクリル樹脂板を材料を切り出して穴あけ及び曲げ加工等を施して得たものである。透明なアクリル樹脂板を材料とした理由は、実施例１の場合と同様に、透明度が高く目立ちにくい景品姿勢保持具が得られ、景品獲得ゲーム機の美しい外観を維持できるためである。図２（Ａ）に現れるとおり、この景品姿勢保持具（１３）は上部に一対の取付手段（１４）を備え、その下部に柱体（１５）を備えている。柱体（１５）はその断面が「く」の字型となるように折り曲げられており、景品姿勢保持具（１５）を取り付けた際に奥側に向かって突き出るようにされている。このような形状とすることで、景品姿勢保持具（１５）の使用時に、吊下展示される景品の背面と柱体（１５）が二点接触することになり、景品の回転が防止され、よって、景品の姿勢が保たれることになる。
【００７８】
柱体（１５）の下部には連結部（１７）として貫通穴が設けられる。図２（Ｂ）に示すように、他の景品姿勢保持具の取付手段が連結部に掛けられることで、２つの景品姿勢保持具を連結し、１つの長い景品姿勢保持具として利用することが可能となる。その他の箇所の構造や作用等は、実施例１の場合と同様であるので説明は省略する。
【産業上の利用可能性】
【００７９】
以上説明したとおり、遊戯空間内にロープで吊下げることで景品を展示し、遊戯者が操作する遊戯手段によってロープを切断する、または、ロープの固定を解除する等によって景品を落下させ、遊戯者に該景品が払い出されるように設定された景品獲得ゲーム機において、吊下げられる景品の正面が常に遊戯者側を向くなど姿勢を保持させることが可能な景品姿勢保持具を提供ものであり、産業上の価値はきわめて高い。
【符号の説明】
【００８０】
１      カットゲーム機
２      景品払出口
３      操作手段
４      遊戯空間
５      景品
６      遊戯手段
７      景品吊下パイプ（吊下手段）
８      吊下フック
９      ロープ
１０    切断手段
１１    案内パイプ
１２    案内手段
１３    景品姿勢保持具
１３ａ  第一の景品姿勢保持具（上段）
１３ｂ  第二の景品姿勢保持具（下段）
１４    取付手段
１５    柱体
１６    ブリッジ部
１７    連結部
１８    取付手段絞り部
１９    壁体
【図１】
0003207008.tif 000003
【図２】
0003207008.tif 000004
【図３】
0003207008.tif 000005
【図４】
0003207008.tif 000006
【図５】
0003207008.tif 000007
【図６】
0003207008.tif 000008
【図７】
0003207008.tif 000009